(57)【要約】  空調装置（３０１〜３０８）の空調領域に占める作業領域の割合に応じて、各空調装置（３０１〜３０８）の吐出口から吐出される空調空気の吐出量又は吐出方向を調整する。これにより、作業領域の空調が重点的に行われ、通路や、キャビネット及び複合機などが設置されたスペースへの空調が制限される。したがって、作業領域で作業を行うユーザの周囲に快適な環境を形成しつつ、空調に要するエネルギーの消費量を削減することが可能となる。
2012035788.tif 000002
【特許請求の範囲】
【請求項１】
空調対象となる空間に分散配置され、空調空気を吐出する複数の吐出口と、
前記吐出口に割り当てられた空調領域に対するユーザの作業領域の割合に応じて、前記吐出口から吐出される前記空調空気の吐出量を、前記吐出口ごとに算出する吐出量算出手段と、
前記吐出量算出手段による算出結果に基づいて、前記吐出口それぞれから吐出される前記空調空気の吐出量を調整する吐出量調整手段と、
を有する空調システム。
【請求項２】
前記空間に分散配置され、前記吐出口と前記吐出量調整手段とを有する複数の第１空調装置を備える請求項１に記載の空調システム。
【請求項３】
前記吐出量算出手段は、前記空間における前記第１空調装置の位置情報と、前記空間における前記作業領域の位置情報とに基づいて、前記吐出口から吐出される前記空調空気の吐出量を算出する請求項２に記載の空調システム。
【請求項４】
前記吐出量算出手段は、前記空調領域に対する前記作業領域の割合が零である場合には、前記吐出量を零とする請求項１乃至３のいずれか一項に記載の空調システム。
【請求項５】
前記吐出量算出手段は、前記空調空気の吐出量が不変の第２空調装置が、前記空間に配置されている場合に、前記第２空調装置の空調領域を除外した領域を、前記第１空調装置の空調領域として、前記空調空気の吐出量を算出する請求項２に記載の空調システム。
【請求項６】
空調対象となる空間に分散配置され、空調空気を吐出する吐出方向の角度を、水平方向から鉛直方向までの間で多段階に可変な複数の第１空調装置と、
前記第１空調装置の設置位置からの距離に基づいて、前記第１空調装置の空調領域を複数の小領域に区分し、ユーザの作業領域を最も多く含む小領域を特定する特定手段と、
前記特定手段に特定された前記小領域に向かって、前記空調空気を吐出するときの前記吐出方向の角度を算出する角度算出手段と、
前記角度算出手段の算出結果に基づいて、前記吐出方向の角度を調整する角度調整手段と、
を有する空調システム。
【請求項７】
前記特定手段に特定された前記小領域と前記第１空調装置との距離に応じた量の空調空気を吐出する吐出手段を備える請求項６に記載の空調システム。
【請求項８】
前記特定手段は、前記空調空気の吐出量が不変の第２空調装置が、前記空間に配置されている場合に、前記第２空調装置の空調領域を除外した領域を、前記第１空調装置の空調領域として、前記小領域を特定する請求項６又は７に記載の空調システム。
【請求項９】
前記空間のフロアの画像に写る机の位置から、前記作業領域を特定する作業領域特定手段を有する請求項１乃至８のいずれか一項に記載の空調システム。
【請求項１０】
空調対象となる空間に分散配置され、空調空気を吐出する複数の吐出口に割り当てられた空調領域に対するユーザの作業領域の割合に応じて、前記吐出口から吐出される前記空調空気の吐出量を、前記吐出口ごとに算出する工程と、
前記吐出口それぞれから、算出された吐出量の前記空調空気を吐出する工程と、
を含む空調方法。
【請求項１１】
空調対象となる空間に分散配置され、空調空気を吐出する吐出方向の角度を、水平方向から鉛直方向までの間で多段階に可変な空調装置を用いて、前記空間の空調を行うための空調方法であって、
前記空調装置の設置位置からの距離に基づいて、前記空調装置の空調領域を複数の小領域に区分する工程と、
ユーザの作業領域を最も多く含む小領域を特定する工程と、
特定された前記小領域に向かって、前記空調空気を吐出するときの前記吐出方向の角度を算出する工程と、
前記吐出方向の角度を、算出された角度に調整する工程と、
を含む空調方法。
【発明の詳細な説明】
【技術分野】
【０００１】
本発明は、空調システム及び空調方法に関し、更に詳しくは、空間を空調するための空調システム及び空調方法に関する。
【背景技術】
【０００２】
近年の地球温暖化や、世界規模で進行する経済産業の発展にともない、ＣＯ２排出量の削減、或いはエネルギー消費量の削減を目的とする取り組みが重要視されている。このような背景から、オフィスビルや大型店舗などで消費されるエネルギーを削減し、省エネ化を推進するための技術が種々提案されている（例えば特許文献１及び２参照）。【０００３】
特許文献１に記載された空気調和装置は、空調対象となる空間を区分して、複数の小領域を規定する。次に、小領域それぞれの輻射温度を計測し、小領域相互間の温度差に基づいて空調空気の吐出量を決定する。そして、輻射温度の高い領域に向かって空調空気が流れるように、空調空気の吐出方向を決定する。【０００４】
また、特許文献２に記載された空気調和装置は、超音波センサ等を用いて、空気調和装置の設置位置から、当該空気調和装置を包囲する壁面までの距離を計測して、空調対象となる部屋の形状を推定する。そして、部屋の形状と、空調空気の吐出口の位置とを勘案して、空調空気の吐出方向と吐出角度を決定する。
【先行技術文献】
【特許文献】
【０００５】
【特許文献１】特許第４３３７４２７号公報
【特許文献２】特許第２７２３４７０号公報
【発明の概要】
【発明が解決しようとする課題】
【０００６】
特許文献１及び２に記載の空気調和装置を用いることで、空間の内部を満遍なく空調することが可能となる。しかしながら、これらの装置は、空間内の人の分布に関係なく空調を行うため、人がいない空間の空調制御に、無駄なエネルギーが消費されるという不都合がある。【０００７】
本発明は、上述の事情の下になされたもので、空間の空調を行う際に、当該空間に存在する人の位置を考慮して空調を行うことにより、空間内部に存在する人の周囲に快適な環境を形成しつつ、エネルギーの消費量を削減することを目的とする。
【課題を解決するための手段】
【０００８】
上記目的を達成するために、本発明の第１の観点に係る空調システムは、
空調対象となる空間に分散配置され、空調空気を吐出する複数の吐出口と、
前記吐出口に割り当てられた空調領域に対するユーザの作業領域の割合に応じて、前記吐出口から吐出される前記空調空気の吐出量を、前記吐出口ごとに算出する吐出量算出手段と、
前記吐出量算出手段による算出結果に基づいて、前記吐出口それぞれから吐出される前記空調空気の吐出量を調整する吐出量調整手段と、
を有する。【０００９】
本発明の第２の観点に係る空調システムは、
空調対象となる空間に分散配置され、空調空気を吐出する吐出方向の角度を、水平方向から鉛直方向までの間で多段階に可変な複数の第１空調装置と、
前記第１空調装置の設置位置からの距離に基づいて、前記第１空調装置の空調領域を複数の小領域に区分し、ユーザの作業領域を最も多く含む小領域を特定する特定手段と、
前記特定手段に特定された前記小領域に向かって、前記空調空気を吐出するときの前記吐出方向の角度を算出する角度算出手段と、
前記角度算出手段の算出結果に基づいて、前記吐出方向の角度を調整する角度調整手段と、
を有する。【００１０】
本発明の第３の観点に係る空調方法は、
空調対象となる空間に分散配置され、空調空気を吐出する複数の吐出口に割り当てられた空調領域に対するユーザの作業領域の割合に応じて、前記吐出口から吐出される前記空調空気の吐出量を、前記吐出口ごとに算出する工程と、
前記吐出口それぞれから、算出された吐出量の前記空調空気を吐出する工程と、
を含む。【００１１】
本発明の第４の観点に係る空調方法は、
空調対象となる空間に分散配置され、空調空気を吐出する吐出方向の角度を、水平方向から鉛直方向までの間で多段階に可変な空調装置を用いて、前記空間の空調を行うための空調方法であって、
前記空調装置の設置位置からの距離に基づいて、前記空調装置の空調領域を複数の小領域に区分する工程と、
ユーザの作業領域を最も多く含む小領域を特定する工程と、
特定された前記小領域に向かって、前記空調空気を吐出するときの前記吐出方向の角度を算出する工程と、
前記吐出方向の角度を、算出された角度に調整する工程と、
を含む。
【発明の効果】
【００１２】
本発明によれば、ユーザの作業領域を考慮して、各吐出口から吐出される空調空気の吐出量及び吐出方向が決定される。これにより、ユーザ周囲の空調を優先的に行うとともに、ユーザが存在しないと考えられる領域への空調をセーブすることができる。したがって、空間内部に存在するユーザの周囲に快適な環境を形成しつつ、エネルギーの消費量を削減することが可能となる。
【図面の簡単な説明】
【００１３】
【図１】第１の実施形態に係る空調システムのブロック図である。
【図２】表示ユニットに表示される画面の一例を示す図である。
【図３】空調装置機種情報に関するデータテーブルを示す図である。
【図４】空調装置位置情報に関するデータテーブルを示す図である。
【図５】座席位置情報に関するデータテーブルを示す図である。
【図６】空調装置のブロック図である。
【図７】空調空気の吐出量を調整する手順を説明するためのフローチャートである。
【図８】空調空気の吐出量を調整する手順を説明するための図（その１）である。
【図９】空調空気の吐出量を調整する手順を説明するための図（その２）である。
【図１０】空調空気の吐出量の調整が終了した後に、表示ユニットに表示される画面を示す図である。
【図１１】空調空気の吐出方向を調整する手順を説明するためのフローチャートである。
【図１２】空調空気の吐出方向を調整する手順を説明するための図である。
【図１３】吐出口と空調領域との位置関係を示す図である。
【発明を実施するための形態】
【００１４】
《第１の実施形態》
以下、本発明の第１の実施形態を、図面を参照しつつ説明する。図１は、本実施形態に係る空調システム１０のブロック図である。空調システム１０は、例えばテナントやオフィスなど、複数のユーザがデスクワーク等を行う空間の空調を行うシステムである。
【００１５】
図１に示されるように、空調システム１０は、管理装置２０と、この管理装置２０にネットワーク５０を介して接続された８台の空調装置３０を有している。
【００１６】
管理装置２０は、通信ユニット２１、制御ユニット２２、表示ユニット２３、入力ユニット２４、及び記憶ユニット２５を有している。
【００１７】
通信ユニット２１は、例えば空調制御専用の通信インタフェース、シリアルインタフェースまたはＬＡＮ（Local Area Network）インタフェース等を含んで構成されている。管理装置２０は、通信ユニット２１を介してネットワーク５０に接続される。
【００１８】
表示ユニット２３は、ＬＣＤ（Liquid Crystal Display）或いはＣＲＴ（Cathode Ray Tube）などを含んで構成されている。この表示ユニット２３は、制御ユニット２２の処理結果や、空調装置３０の運転状況などを表示する。
【００１９】
図２は、表示ユニット２３に表示されるグラフィック画面の一例を示す図である。このグラフィック画面は、空間１００のフロア１００ａの画像と、空間１００に配置された机１０１、キャビネット１０２、及び複合機１０３を示す画像と、この画像に重ねて表示される８つのアイコン３０ｉ１〜３０ｉ８から構成されている。アイコン３０ｉ１〜３０ｉ８それぞれは、空調装置３０１〜３０８を表し、これらのアイコン３０ｉ１〜３０ｉ８が表示される位置は、空間１００における空調装置３０１〜３０８の位置に対応している。また、アイコン３０ｉ１〜３０ｉ８は、例えば空調空気の吐出量や、空調装置３０１〜３０８の運転状態に応じて、表示色が変わるようになっている。
【００２０】
入力ユニット２４は、キーボードや、タッチパネル等を含んで構成されている。オペレータの指示は、この入力ユニット２４を介して、制御ユニット２２へ通知される。
【００２１】
記憶ユニット２５は、磁気ディスク、半導体メモリ等の不揮発性メモリを含んで構成されている。この記憶ユニット２５には、空調装置３０に関する空調装置接続情報２５ａ、空調装置運転情報２５ｂ、空調装置機種情報２５ｃ、平面図情報２５ｄ、空調装置位置情報２５ｅ、及び座席位置情報２５ｆが記憶されている。
【００２２】
空調装置接続情報２５ａには、管理装置２０の管理対象となる空調装置３０それぞれのアドレス番号に関する情報や、空調装置３０がグループ化されている場合には当該空調装置３０が属するグループに関する情報が含まれている。この空調装置接続情報２５ａは、空調システム１０の立ち上げの際に、空調システム１０の管理者等によって入力される。
【００２３】
空調装置運転情報２５ｂには、空調装置３０それぞれの出力、冷房或いは暖房などの運転モード、設定温度、空調装置３０周囲の温度、空調空気の吐出量及び吐出方向などに関する情報が含まれている。この空調装置運転情報２５ｂは、制御ユニット２２が、通信ユニット２１を介して、空調装置３０と通信を行うことによって順次更新される。
【００２４】
空調装置機種情報２５ｃは、例えば図３に示されるデータテーブルを参照するとわかるように、空調装置３０それぞれの空調空気の吐出方向の数、空調空気の吐出量の切替段数、及びスイング機能の有無を含む情報である。なお、吐出量の切替段数は、例えば切替段が４である場合には、吐出量を４段階に調整することが可能であることを示す数値である。
【００２５】
この空調装置機種情報２５ｃは、管理装置２０が、ネットワーク５０を介して、各空調装置３０から受信することにより取得される。なお、空調システム１０の管理者は、この空調装置機種情報２５ｃを、入力ユニット２４を介して入力することができる。
【００２６】
平面図情報２５ｄは、空間１００を構成するフロア１００ａの画像データである。この画像データは、例えば、電子データ化された空間１００の配置図などであり、空調システム１０の管理者によって入力される。この画像データは、図２を参照するとわかるように、表示ユニット２３に表示される。
【００２７】
空調装置位置情報２５ｅは、例えば図４に示されるデータテーブルを参照するとわかるように、空間１００における空調装置３０それぞれの位置を示す情報である。なお、空調装置３０の位置は、空調装置３０の中心位置をいうものとする。図２に示されるアイコン３０ｉそれぞれは、この空調装置位置情報２５ｅに基づいて、画面上に配置される。
【００２８】
空調装置３０の位置は、図２を参照するとわかるように、空間１００を構成するフロア１００ａの左下のコーナーを原点とするＸＹ座標系における位置座標で規定される。この位置座標のＸ座標は、図４のデータテーブルに示されるように、原点からＸ軸に平行な方向への距離と等価であり、Ｙ座標は、原点からＹ軸に平行な方向への距離と等価である。図２に示される画面上のアイコン３０ｉの位置は、この空調装置位置情報２５ｅによって規定される。
【００２９】
座席位置情報２５ｆは、例えば図５に示されるデータテーブルを参照するとわかるように、１２卓の机１０１によって構成される作業領域Ａ１〜Ａ４それぞれの位置及び大きさを示す情報である。なお、作業領域Ａ１〜Ａ４の位置は、作業領域Ａ１〜Ａ４の左下のコーナーの位置をいうものとする。図２に示される作業領域Ａ１〜Ａ４の位置は、座席位置情報２５ｆによって規定される。
【００３０】
作業領域Ａ１〜Ａ４の位置は、図２を参照するとわかるように、空間１００を構成するフロア１００ａの左下のコーナーを原点とするＸＹ座標系における位置座標で規定される。この位置座標のＸ座標は、図５のデータテーブルに示されるように、原点からＸ軸に平行な方向への距離と等価であり、Ｙ座標は、原点からＹ軸に平行な方向への距離と等価である。また、作業領域Ａ１〜Ａ４の大きさは、Ｘ軸に平行な方向の大きさ（横幅）と、Ｙ軸に平行な方向の大きさ（奥行き）とで規定される。図２に示される画面上の作業領域Ａ１〜Ａ４は、この座席位置情報２５ｆによって位置と大きさが規定される。
【００３１】
制御ユニット２２は、ＣＰＵ、ＣＰＵの作業領域となるＲＡＭ（Random Access Memory）等から構成されている。この制御ユニット２２は、記憶ユニット２５に保存された情報に基づいて、空調装置３０それぞれの出力、運転モード、空調空気の吐出量、空調空気の吐出方向などを算出する。そして、算出結果を通信ユニット２１へ出力する。これにより、算出結果が、通信ユニット２１を介して、各空調装置３０へ出力される。また、制御ユニット２２は、空調装置３０の運転状況などの情報を、通信ユニット２１を介して受信し、表示ユニット２３へ出力する。これにより、表示ユニット２３を介して、各空調装置３０の監視が可能になる。
【００３２】
なお、図１には図示されていないが、空調システム１０は、空間１００と外気との間で熱交換を行う熱交換器（室外機）なども有している。
【００３３】
図１に戻り、空調装置３０それぞれは、空間１００へ調和した空気を吐出する装置である。これらの空調装置３０は、空間１００の天井に配置され、調和した空調空気を４方向へ吐出する。例えば、図２を参照するとわかるように、空調装置３０は、２行４列のマトリクス状に配置され、空調空気をＸ軸方向及びＹ軸方向へ吐出する。
【００３４】
図６は、空調装置３０のブロック図である。図６に示されるように、空調装置３０は、通信ユニット３１、制御ユニット３２、吐出量切替装置３３、吐出方向切替装置３４、及び記憶ユニット３５を有している。
【００３５】
通信ユニット３１は、例えば空調制御専用の通信インタフェース、シリアルインタフェースまたはＬＡＮインタフェース等を含んで構成されている。空調装置３０は、通信ユニット３１を介してネットワーク５０に接続されている。
【００３６】
吐出量切替装置３３は、制御ユニット３２からの指示に基づいて、空調空気の吐出量を多段階に調整する。本実施形態では、吐出量切替装置３３は、空調空気の吐出量を、強、中、弱、微風の４段階に調整したうえで、空間１００に空調空気を吐出する。
【００３７】
吐出方向切替装置３４は、空調空気の吐出方向を上下方向に切り替えるルーバーを有している。そして、制御ユニット３２からの指示に基づいて、空調空気の吐出方向を、上下方向に多段階に調整する
【００３８】
記憶ユニット３５は、半導体メモリ等の不揮発性メモリを含んで構成されている。この記憶ユニット３５には、空調装置３０それぞれの仕様に関する吐出口形状情報３５ａ、吐出量段数情報３５ｂ、及び吐出方向段数情報３５ｃが記憶されている。
【００３９】
吐出口形状情報３５ａは、吐出口の数と、吐出口の形状とを識別するための情報である。
【００４０】
吐出量段数情報３５ｂは、空調空気の最大の吐出量と、この最大の吐出量をいくつの段階で調整することができるかを判断するための情報である。この吐出量段数情報３５ｂによって、例えば、空調装置３０が、空調空気の吐出量を強、中、弱の３段階に切り替えることが可能であるか、又は強、中、弱、微風の４段階に切り替えることが可能であるか等を判断することができる。
【００４１】
吐出方向段数情報３５ｃは、空調空気の吐出方向をいくつの段階で調整することができるかを判断するための情報である。この吐出方向段数情報３５ｃによって、例えば、空調装置３０が、空調空気の吐出方向を上下方向に例えば１５度ずつ６段階で切り替えることが可能であるか、２２．５度ずつ４段階で切り替えることが可能であるか、又は３０度ずつ３段階に切り替えることが可能であるか等を判断することができる。なお、１段あたりの角度は、比例的に算出する必要はなく、例えば１段目は１０度、２段目は１５度、３段目は３５度といったように、各段の角度が機種に応じて予め規定されていることとしてもよい。
【００４２】
制御ユニット３２は、ＣＰＵ、ＣＰＵの作業領域となるＲＡＭ（Random Access Memory）等から構成されている。この制御ユニット３２は、必要に応じて通信ユニット３１を介して、空調装置３０と通信を行う。また、不図示のセンサを介して取得した空調装置３０の周囲温度に関する情報を、通信ユニット３１へ出力する。通信ユニット３１に出力された情報は、管理装置２０へ送信される。
【００４３】
次に、上述のように構成された空調システム１０における空調装置３０それぞれの吐出量の調整手順について説明する。管理装置２０の制御ユニット２２は、起動されると同時に記憶ユニット２５に保存されたプログラムを読み込み実行する。次に、例えば入力ユニット２４を介して、ユーザからの運転指令を受信すると、図７に示されるフローチャートで表される処理を実行する。
【００４４】
最初のステップＳ２０１では、制御ユニット２２は、カウンタ値ｎをリセットする。
【００４５】
次のステップＳ２０２では、制御ユニット２２は、カウンタ値ｎをインクリメントする。
【００４６】
次のステップＳ２０３では、制御ユニット２２は、通信ユニット２１を介して、空調装置３０１の吐出口形状情報を取得する。
【００４７】
次のステップＳ２０４では、制御ユニット２２は、通信ユニット２１を介して、空調装置３０１の吐出量段数情報を取得する。
【００４８】
次のステップＳ２０５では、制御ユニット２２は、取得した吐出口形状情報３５ａと、吐出量段数情報３５ｂに基づいて、空調装置３０１の吐出口それぞれに対応した空調領域を規定する。
【００４９】
具体的には、まず制御ユニット２２は、空調装置３０１の吐出口形状情報３５ａに基づいて、空調装置３０１全体の空調領域を規定する。例えば、空調装置３０１が、異なる方向を向いた４つの吐出口を有し、吐出口それぞれの形状が、空調装置３０１の縁に沿った長方形である場合は、例えば図８に示されるように、空調装置３０１を中心とする円形の空調領域Ｒが特定される。この空調領域Ｒの半径は、空調装置３０１から吐出された空調空気の最大到達距離に応じて決定される。
【００５０】
次に、制御ユニット２２は、円形の空調領域Ｒを、それぞれの吐出口の配置位置に基づいて分割する。例えば、空調装置３０が異なる方向を向く４つの吐出口を有している場合は、空調領域Ｒを、吐出口の位置に応じて４つの扇状の空調領域Ｒ１〜Ｒ４に分割する。これにより、空調装置３０１の吐出口それぞれに割り当てられた空調領域Ｒ１〜Ｒ４が規定される。制御ユニット２２は、空調領域Ｒ１〜Ｒ４を規定すると、次のステップＳ２０６へ移行する。
【００５１】
ステップＳ２０６では、制御ユニット２２は、記憶ユニット２５に記憶された空調装置３０１の空調装置位置情報２５ｅを読み出す。
【００５２】
次のステップＳ２０７では、制御ユニット２２は、記憶ユニット２５に記憶された座席位置情報２５ｆを読み出す。
【００５３】
次のステップＳ２０８では、制御ユニット２２は、空調領域Ｒ１〜Ｒ４それぞれに占める作業領域Ａ１〜Ａ４の割合を算出する。例えば図８に示されるように、空調領域Ｒ１に、作業領域Ａ１が含まれる場合は、制御ユニット２２は、空調装置位置情報２５ｅに含まれる空調装置３０１の位置と、座席位置情報２５ｆに含まれる作業領域Ａ１の位置情報（ＸＹ座標）と、横幅及び奥行きに関する情報とに基づいて、空調領域Ｒ１に占める作業領域Ａ１の割合を算出する。同様に、制御ユニット２２は、空調領域Ｒ２〜Ｒ３に占める作業領域の割合を算出する。
【００５４】
次のステップＳ２０９では、制御ユニット２２は、空調領域Ｒ１〜Ｒ４に占める作業領域の割合に応じて、空調装置３０１が備える吐出口からの空調空気の吐出量を決定する。例えば作業領域の割合が６０％以上である場合には、吐出量を強レベル（最大）に決定する。また、割合が４０％以上で６０％未満である場合には、吐出量を中レベルに決定する。また、割合が２０％以上で４０％未満である場合には、吐出量を小レベルに決定する。また、割合が５％以上で２０％未満である場合には、吐出量を微風レベルに決定する。また、割合が５％未満である場合には、吐出量を零と決定する。
【００５５】
図８に示されるように、空調領域Ｒ１に占める作業領域Ａ１の割合は、６５％程度である。したがって、空調領域Ｒ１に対応する吐出口からの空調空気の吐出量のレベルは強レベルと決定される。また、空調領域Ｒ２に占める作業領域Ａ２の割合は、３０％程度である。したがって、空調領域Ｒ２に対応する吐出口からの空調空気の吐出量のレベルは小レベルと決定される。また、空調領域Ｒ３に占める作業領域の割合は、０％である。したがって、空調領域Ｒ３に対応する吐出口からの空調空気の吐出量は零と決定される。また、空調領域Ｒ４に占める作業領域Ａ１の割合は１０％程度である。したがって、空調領域Ｒ４に対応する吐出口からの空調空気の吐出量のレベルは微風レベルと決定される。
【００５６】
次のステップＳ２１０では、制御ユニット２２は、通信ユニット２１を介して、空調装置３０１へ各吐出口からの吐出量に関する情報を出力する。空調装置３０１の制御ユニット３２は、吐出量に関する情報を受信すると、吐出量切替装置３３に、各吐出口からの空調空気の吐出量を通知する。これにより、吐出量切替装置３３によって、各吐出口からの吐出量が調整される。
【００５７】
図９は、空調装置３０１からの空調空気の吐出量を模式的に示す図である。例えば図９の矢印の長さに示されるように、空調装置３０１が備える吐出口から吐出される空調空気の吐出量は、各吐出口に割り当てられた空調領域Ｒ１〜Ｒ２に占める作業領域の割合に応じて決定される。
【００５８】
次のステップＳ２１１では、制御ユニット２２は、カウンタ値ｎが８以上であるか否かを判断する。ここでの判断が否定された場合は、制御ユニット２２は、ステップＳ２０２に戻る。そして、ステップＳ２１１での判断が肯定されるまで、ステップＳ２０２〜ステップＳ２１１までの処理を繰り返し実行する。これにより、順次空調装置３０２〜３０８の吐出口から吐出される空調空気の吐出量が調整される。
【００５９】
一方、ステップＳ２１１での判断が肯定された場合は（ステップＳ２１１：Ｙｅｓ）、制御ユニット２２は、吐出量を調整するための処理を終了する。
【００６０】
図１０は、吐出量の調整が終了した後に、表示ユニット２３に表示される画面を示す図である。図１０の矢印に示されるように、各空調装置３０１〜３０８の吐出口からは、空調装置３０１〜３０８の各吐出口に割り当てられた空調領域Ｒ１〜Ｒ４に占める作業領域Ａ１〜Ａ４の割合に応じて規定された量の空調空気が、それぞれ吐出される。
【００６１】
以上説明したように、本実施形態では、空調装置３０１〜３０８が備える吐出口それぞれに割り当てられた空調領域Ｒ１〜Ｒ４に占める作業領域Ａ１〜Ａ４の割合に応じて、各空調装置３０１〜３０８の吐出口から吐出される空調空気の吐出量が調整される。これにより、机１０１からなる作業領域Ａ１〜Ａ４の空調が重点的に行われ、キャビネット１０２及び複合機１０３などが設置されたスペースや通路への空調が制限される。したがって、空間１００の内部で作業するユーザの周囲に快適な環境を形成しつつ、空間１００の空調に要するエネルギーの消費量を削減することが可能となる。
【００６２】
本実施形態では、空調領域Ｒ１〜Ｒ４それぞれに占める作業領域Ａ１〜Ａ４の割合に応じて、対応する吐出口から吐出される空調空気の吐出量が決定される。このため、作業領域やその近傍の温度を計測するための温度センサや、空調装置３０から作業領域までの距離を計測する距離センサ等を用いることなく、空間１００の空調を効率的に行うことができる。このため、装置の低コスト化を図ることが可能となる。
【００６３】
本実施形態では、空調領域Ｒ１〜Ｒ４それぞれに占める作業領域Ａ１〜Ａ４の割合に応じて、対応する吐出口から吐出される空調空気の吐出量が決定される。このため、机１０１のレイアウトを変更したとしても、レイアウト変更後に、空調領域に占める作業領域の割合が再度算出され、各吐出口について適切な吐出量が再度決定される。このため、空間１００のレイアウトの変更に柔軟に対応する空調を実現することができる。
【００６４】
なお、本実施形態では、管理装置２０の制御ユニット２２が、強、中、弱、微風の４段階に、吐出量を決定した。これに限らず、管理装置２０の制御ユニット２２が、空調領域Ｒ１〜Ｒ４における作業領域Ａ１〜Ａ４の割合に応じた吐出量Ｘ（Ｌ／ｓ）を算出し、これを空調装置３０に出力することとしてもよい。この場合、空調装置３０の制御ユニット３２は、吐出量Ｘに相当する段に応じた吐出量を設定する。
【００６５】
本実施形態では、空調装置３０の吐出口に割り当てられた空調領域における作業領域の割合に応じて、吐出口からの吐出量を決定した。具体的には、作業領域の割合が６０％以上である場合には、吐出量を強レベル（最大）に決定した。また、割合が４０％以上で６０％未満である場合には、吐出量を中レベルに決定した。また、割合が２０％以上で４０％未満である場合には、吐出量を小レベルに決定した。また、割合が５％以上で２０％未満である場合には、吐出量を微風レベルに決定した。また、割合が５％未満である場合には、吐出量を零と決定した。
【００６６】
上記割合の範囲は一例であり、例えば作業領域の占める大きさに応じて、最適な範囲を決めることで、空調システム１０の運転の効率化を図るとともに、ユーザの快適性を確保することができる。例えば、作業領域が、本実施形態における作業領域Ａ１〜Ａ４に比べて小さい場合は、空調領域における作業領域の割合が低くなる。また、作業領域が、本実施形態における作業領域Ａ１〜Ａ４に比べて大きい場合は、空調領域における作業領域の割合が高くなる。このため、これらの作業領域の面積や、フロア１００ａにおける作業領域の割合を勘案して、管理装置２０の制御ユニット２２が、上記割合の範囲を決めることとしてもよい。これにより、空調システム１０の運転の効率化を図るとともに、ユーザの快適性を確保することができる。
【００６７】
《第２の実施形態》
次に、本発明の第２の実施形態に係る空調システム１０について説明する。なお、第１の実施形態と同一又は同等の構成については、同等の符号を用いるとともに、その説明を省略又は簡略する。
【００６８】
本実施形態に係る空調システム１０は、空調領域に占める作業領域の割合に応じてルーバーの角度を調整することにより、空調空気の吐出方向を調整する点で、第１の実施形態に係る空調システム１０と相違している。
【００６９】
以下、本実施形態に係る吐出方向の調整手順について説明する。管理装置２０の制御ユニット２２は、起動されると同時に記憶ユニット２５に保存されたプログラムを読み込み実行する。次に、例えば入力ユニット２４を介して、ユーザからの運転指令を受信すると、図１１に示されるフローチャートで表される処理を実行する。
【００７０】
最初のステップＳ３０１では、制御ユニット２２は、カウンタ値ｎをリセットする。
【００７１】
次のステップＳ３０２では、制御ユニット２２は、カウンタ値ｎをインクリメントする。
【００７２】
次のステップＳ３０３では、制御ユニット２２は、通信ユニット２１を介して、空調装置３０１の吐出口形状情報を取得する。
【００７３】
次のステップＳ３０４では、制御ユニット２２は、通信ユニット２１を介して、空調装置３０１の吐出方向段数情報を取得する。
【００７４】
次のステップＳ３０５では、制御ユニット２２は、取得した吐出口形状情報３５ａと、吐出方向段数情報３５ｃに基づいて、空調装置３０１の吐出口それぞれに対応した空調領域を規定する。
【００７５】
具体的には、まず制御ユニット２２は、空調装置３０１の吐出口形状情報３５ａに基づいて、空調装置３０１全体の空調領域を規定する。例えば、空調装置３０１が、異なる方向を向いた４つの吐出口を有し、吐出口それぞれの形状が、空調装置３０１の縁に沿った長方形である場合は、例えば図１２に示されるように、空調装置３０１を中心とする円形の空調領域Ｒが特定される。なお、空調領域Ｒの半径は、空調装置３０１から吐出された空調空気の最大到達距離に応じて決定される。
【００７６】
次に、制御ユニット２２は、円形の空調領域Ｒを、それぞれの吐出口の配置位置に基づいて分割する。例えば、空調装置３０が異なる方向を向く４つの吐出口を有している場合は、空調領域Ｒを、吐出口の位置に応じて４つの扇状の空調領域Ｒ１〜Ｒ４に分割する。これにより、空調装置３０１の吐出口それぞれに割り当てられた空調領域Ｒ１〜Ｒ４が規定される。
【００７７】
次に、制御ユニット２２は、各空調領域Ｒ１〜Ｒ４を、それぞれ吐出方向の切替段数に応じて分割する。例えば、空調装置３０１が、吐出方向を上下に４段階に調整することが可能な機能を持っている場合には、空調装置３０１からの距離に応じて空調領域Ｒ１を４等分する。これにより、図１２に示されるように、中心角が等しい扇状の４つの空調領域ｒ１〜ｒ４が規定される。
【００７８】
制御ユニット２２は、空調領域Ｒ２〜Ｒ４についても、上述の処理を実行する。これにより、空調領域Ｒ２〜Ｒ４それぞれが分割され、各空調領域Ｒ２〜Ｒ４に扇状の４つの空調領域ｒ１〜ｒ４が規定される。制御ユニット２２は、空調領域Ｒ１〜Ｒ４それぞれについて空調領域ｒ１〜ｒ４を規定すると、次のステップＳ３０６へ移行する。
【００７９】
ステップＳ３０６では、制御ユニット２２は、記憶ユニット２５に記憶された空調装置３０１の空調装置位置情報２５ｅを読み出す。
【００８０】
次のステップＳ３０７では、制御ユニット２２は、記憶ユニット２５に記憶された座席位置情報２５ｆを読み出す。
【００８１】
次のステップＳ３０８では、制御ユニット２２は、空調領域Ｒ１〜Ｒ４それぞれに占める作業領域Ａ１〜Ａ４の割合を、空調領域ｒ１〜ｒ４ごとに算出する。例えば図１２に示されるように、空調領域Ｒ１に作業領域Ａ１，Ａ２が含まれる場合は、制御ユニット２２は、空調装置位置情報２５ｅに含まれる空調装置３０１の位置と、座席位置情報２５ｆに含まれる作業領域Ａ１，Ａ２の位置情報（ＸＹ座標）と、横幅及び奥行きに関する情報とに基づいて、空調領域Ｒ１に占める作業領域Ａ１，Ａ２の割合を、空調領域ｒ１〜ｒ４ごとに算出する。同様に、制御ユニット２２は、空調領域Ｒ２〜Ｒ３に占める作業領域の割合を、空調領域ｒ１〜ｒ４ごとに算出する。
【００８２】
次のステップＳ３０９では、制御ユニット２２は、空調領域Ｒ１を構成する空調領域ｒ１〜ｒ４それぞれに占める作業領域の割合に応じて、空調領域Ｒ１に対応する吐出口から吐出される空調空気の吐出方向を決定する。
【００８３】
図１３は、点Ｐで示される吐出口と、空調領域ｒ１〜ｒ４との位置関係を示す図である。例えば、図１３に示されるように、空調装置３０１が、吐出方向を矢印ａ〜ｄに示されるように、４段階に調整することができる場合には、制御ユニット２２は、空調領域ｒ１での作業領域の割合が最も高い場合には、吐出方向を矢印ａに示される方向に決定する。また、空調領域ｒ２での作業領域の割合が最も高い場合には、吐出方向を矢印ｂに示される方向に決定する。また、空調領域ｒ３での作業領域の割合が最も高い場合には、吐出方向を矢印ｃに示される方向に決定する。また、空調領域ｒ４での作業領域の割合が最も高い場合には、吐出方向を矢印ｄに示される方向に決定する。制御ユニット２２は、空調領域Ｒ２〜Ｒ４に対応する吐出口からの空調空気の吐出方向についても、上述の手順で決定する。
【００８４】
なお、空調領域に作業領域が含まれない場合や、空調領域ｒ１〜ｒ４相互間で、作業領域の割合が同等である場合には、ルーバーをスイングさせることで、吐出方向を矢印ａに示される方向から、矢印ｄに示される方向まで順次切り替えることが考えられる。
【００８５】
次のステップＳ３１０では、制御ユニット２２は、通信ユニット２１を介して、空調装置３０１へ各吐出口から吐出される空調空気の吐出方向に関する情報を出力する。空調装置３０１の制御ユニット３２は、吐出方向に関する情報を受信すると、吐出方向切替装置３４に、空調空気の吐出方向を通知する。これにより、吐出方向切替装置３４によって、各吐出口での吐出方向が調整される。
【００８６】
次のステップＳ３１１では、制御ユニット２２は、カウンタ値ｎが８以上であるか否かを判断する。ここでの判断が否定された場合は（ステップＳ３１１：Ｎｏ）、制御ユニット２２は、ステップＳ３０２に戻る。そして、ステップＳ３１１での判断が肯定されるまで、ステップＳ３０２〜ステップＳ３１１までの処理を繰り返し実行する。これにより、順次空調装置３０２〜３０８が備える吐出口から吐出される空調空気の吐出方向が調整される。
【００８７】
一方、ステップＳ３１１での判断が肯定された場合は（ステップＳ３１１：Ｙｅｓ）、制御ユニット２２は、吐出量を調整するための処理を終了する。
【００８８】
以上説明したように、本実施形態では、空調装置３０１〜３０８が備える吐出口それぞれに割り当てられた空調領域に占める作業領域Ａ１〜Ａ４の割合に応じて、各空調装置３０１〜３０８の吐出口から吐出される空調空気の吐出方向が調整される。これにより、机１０１からなる作業領域Ａ１〜Ａ４の空調が重点的に行われ、キャビネット１０２及び複合機１０３などが設置されたスペースや、通路への空調が制限される。したがって、空間１００の内部で作業するユーザの周囲に快適な環境を形成しつつ、空間１００の空調に要するエネルギーの消費量を削減することが可能となる。
【００８９】
本実施形態では、人のいる作業領域に優先的に口調空気が吐出される。このため、ユーザの体感温度が低下し、空調装置の設定温度が高めに維持されることとなる。これにより、空間１００の空調に要するエネルギーの消費量を削減することが可能となる。
【００９０】
本実施形態では、空調領域Ｒ１〜Ｒ４それぞれに占める作業領域Ａ１〜Ａ４の割合に応じて、対応する吐出口から吐出される空調空気の吐出方向が決定される。このため、机１０１のレイアウトを変更したとしても、レイアウト変更後に、空調領域に占める作業領域の割合が再度算出され、各吐出口について適切な吐出方向が再度決定される。このため、空間１００のレイアウトの変更に柔軟に対応する空調を実現することができる。
【００９１】
なお、本実施形態では、空調領域Ｒ１〜Ｒ４が、空調装置３０からの距離に応じて、４つの空調領域ｒ１〜ｒ４に区分される場合について説明した。これに限らず、空調装置３０とフロア１００ａとの距離を考慮して、空調領域Ｒ１〜Ｒ４を区分することとしてもよい。例えば、空調領域ｒ１〜ｒ４それぞれの面積が相互に等しくなるように、空調領域Ｒ１〜Ｒ４を複数の領域に区分してもよい。
【００９２】
本実施形態では、空調領域Ｒ１〜Ｒ４が吐出方向の段数に応じて４つの空調領域ｒ１〜ｒ４に区分される場合について説明した。これに限らず、空調領域Ｒ１〜Ｒ４は、２つ又は３つ、或いは５つ以上の空調領域に区分されることとしてもよい。
【００９３】
以上、本発明の実施形態について説明したが、本発明は上記実施形態によって限定されるものではない。例えば上記実施形態では、第１の実施形態で、吐出量を調整する場合を説明し、第２の実施形態で、吐出方向を調整する場合を説明した。これに限らず、空調システム１０は、吐出量を調整する機能、及び吐出方向を調整する機能の双方を有していてもよい。
【００９４】
この場合には、吐出方向に応じて、吐出量を調整することとしてもよい。例えば、空調空気の吐出方向が調整されることで、空調空気が空調領域に至るまでの経路長が変わる。この場合には、当該経路の長さに比例するように、吐出量を増加させることが考えられる。これにより、空調装置３０からの距離にかかわらずユーザの周囲に快適な環境を形成することが可能となる。また、空間１００を温度ムラを生じさせることなく、効率的に空調することが可能となる。
【００９５】
また、空調装置３０の吐出量或いは吐出方向の段数は、例えば空調装置３０の制御ユニット３２が実行するプログラムのパラメータにより規定されている場合や、空調装置３０に設けられたディップスイッチ等で規定されている場合が考えられる。
【００９６】
上記実施形態では、画面に表示されるアイコン３０ｉや、作業領域Ａ１〜Ａ４それぞれは、空調装置位置情報２５ｅ、座席位置情報２５ｆに基づいて配置された。これに限らず、アイコン３０ｉや、作業領域Ａ１〜Ａ４それぞれは、例えば空調システム１０の管理者等によって配置されることとしてもよい。
【００９７】
上記実施形態では、作業領域Ａ１〜Ａ４が机１０１によって規定されている場合について説明した。これに限らず、空調システム１０の管理者が、別途作業領域を設定してもよい。
【００９８】
上記実施形態では、空間１００のフロア１００ａの画像を、管理者が入力することとした。これに限らず、フロアの配置図を、管理装置２０がスキャナ等を介して取り込むこととしてもよい。この場合には配置図に、作業領域Ａ１〜Ａ４を示すマークや、空調装置３０を示すマークを書き込んでおくことで、空調装置位置情報２５ｅや、座席位置情報２５ｆと同等の情報を得ることができる。これにより、空調システム１０の初期設定を容易に行うことが可能となる。
【００９９】
上記実施形態では、空調装置３０が、４方向へ空調空気を吐出することが可能な装置であるものとして説明を行った。これに限らず、空調装置３０は、３方向、２方向、或いは１方向へ空調空気を吐出するものであってもよく、５方向以上の方向へ、空調空気を吐出するものであってもよい。例えば、空間１００の壁近傍に配置される空調装置３０が、１方向にのみ空調空気を吐出する空調装置である場合にも、本発明を適用することができる。
【０１００】
上記実施形態では、すべての空調装置３０が、空調空気の吐出量及び吐出方向を制御することができるものとして説明を行った。これに限らず、空調システム１０は、空調空気の吐出量又は吐出方向を調整することができない空調装置を含んでいてもよい。この場合は、空間１００から、当該空調装置の空調領域を除外した領域に、空調空気の吐出量及び吐出方向を制御することが可能な空調装置３０の空調領域を規定して、この空調領域に占める作業領域の割合に応じて、空調空気の吐出量及び吐出方向を調整すればよい。これにより、空調空気の吐出量又は吐出方向を調整することができない空調装置の空調領域以外の領域が、空調装置３０によって効率よく空調されるので、結果的に、ユーザの周囲に快適な環境を形成しつつ、空間１００の空調に要するエネルギーの消費量を削減することが可能となる。
【０１０１】
上記実施形態では、空調システム１０が、８台の空調装置３０を有している場合について説明した。これに限らず、空調システム１０は、７台以下、或いは９台以上の空調装置３０を有していてもよい。
【０１０２】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【０１０３】
本出願は、２０１０年９月１７日に出願された、日本国特許出願２０１０−２１０１２０号に基づく。本明細書中に日本国特許出願２０１０−２１０１２０号の明細書、特許請求の範囲、図面全体を参照して取り込むものとする。
【産業上の利用可能性】
【０１０４】
本発明の空調システム及び空調方法は、ユーザが作業等を行う空間の空調を行うのに適している。
【符号の説明】
【０１０５】
１０  空調システム
２０  管理装置
２１  通信ユニット
２２  制御ユニット
２３  表示ユニット
２４  入力ユニット
２５  記憶ユニット
２５ａ  空調装置接続情報
２５ｂ  空調装置運転情報
２５ｃ  空調装置機種情報
２５ｄ  平面図情報
２５ｅ  空調装置位置情報
２５ｆ  座席位置情報
３０  空調装置
３０ｉ  アイコン
３１  通信ユニット
３２  制御ユニット
３３  吐出量切替装置
３４  吐出方向切替装置
３５  記憶ユニット
３５ａ  吐出口形状情報
３５ｂ  吐出量段数情報
３５ｃ  吐出方向段数情報
５０  ネットワーク
１００  空間
１００ａ  フロア
１０１  机
１０２  キャビネット
１０３  複合機
Ａ１〜Ａ４  作業領域
Ｒ，Ｒ１〜Ｒ４，ｒ１〜ｒ４  空調領域
【図１】
2012035788.tif 000003
【図２】
2012035788.tif 000004
【図３】
2012035788.tif 000005
【図４】
2012035788.tif 000006
【図５】
2012035788.tif 000007
【図６】
2012035788.tif 000008
【図７】
2012035788.tif 000009
【図８】
2012035788.tif 000010
【図９】
2012035788.tif 000011
【図１０】
2012035788.tif 000012
【図１１】
2012035788.tif 000013
【図１２】
2012035788.tif 000014
【図１３】
2012035788.tif 000015
【手続補正書】
【提出日】平成25年1月8日(2013.1.8)
【手続補正１】
【補正対象書類名】明細書
【補正対象項目名】０００８
【補正方法】変更
【補正の内容】
【０００８】
上記目的を達成するために、本発明の第１の観点に係る空調システムは、空間に規定された空調領域に対するユーザの作業領域の割合に応じて、空調領域へ吐出される空調空気の吐出量を調整する吐出量調整手段、及び空調空気の吐出方向の角度を調整する角度調整手段のうちの少なくとも一方を有する。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
本発明の第２の観点に係る空調方法は、空間に規定された空調領域に対するユーザの作業領域の割合に応じて、空調領域へ吐出される空調空気の吐出量、及び空調空気を吐出する吐出方向の角度のうちの少なくとも一方を調整する調整工程を含む。
【手続補正４】
【補正対象書類名】明細書
【補正対象項目名】００１１
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
空間に規定された空調領域に対するユーザの作業領域の割合に応じて、前記空調領域へ吐出される空調空気の吐出量を調整する吐出量調整手段、及び前記空調空気の吐出方向の角度を調整する角度調整手段のうちの少なくとも一方、
を有する空調システム。
【請求項２】
空調対象となる空間に分散配置され、前記空調空気を吐出する複数の吐出口と、
前記吐出口に割り当てられた前記空調領域に対するユーザの前記作業領域の割合に応じて、前記吐出口から吐出される前記空調空気の吐出量を、前記吐出口ごとに算出する吐出量算出手段と、
前記吐出量算出手段による算出結果に基づいて、前記吐出口それぞれから吐出される前記空調空気の吐出量を調整する前記吐出量調整手段と、
を有する請求項１に記載の空調システム。
【請求項３】
前記空間に分散配置され、前記吐出口と前記吐出量調整手段とを有する複数の第１空調装置を備える請求項２に記載の空調システム。
【請求項４】
前記吐出量算出手段は、前記空間における前記第１空調装置の位置情報と、前記空間における前記作業領域の位置情報とに基づいて、前記吐出口から吐出される前記空調空気の吐出量を算出する請求項３に記載の空調システム。
【請求項５】
前記吐出量算出手段は、前記空調領域に対する前記作業領域の割合が零である場合には、前記吐出量を零とする請求項２乃至４のいずれか一項に記載の空調システム。
【請求項６】
前記吐出量算出手段は、前記空調空気の吐出量が不変の第２空調装置が、前記空間に配置されている場合に、前記第２空調装置の空調領域を除外した領域を、前記第１空調装置の空調領域として、前記空調空気の吐出量を算出する請求項３に記載の空調システム。
【請求項７】
空調対象となる空間に分散配置され、前記空調空気を吐出する吐出方向の角度を、水平方向から鉛直方向までの間で多段階に可変な複数の第１空調装置と、
前記第１空調装置の設置位置からの距離に基づいて、前記第１空調装置の前記空調領域を複数の小領域に区分し、ユーザの前記作業領域を最も多く含む小領域を特定する特定手段と、
前記特定手段に特定された前記小領域に向かって、前記空調空気を吐出するときの前記吐出方向の角度を算出する角度算出手段と、
前記角度算出手段の算出結果に基づいて、前記吐出方向の角度を調整する前記角度調整手段と、
を有する請求項１に記載の空調システム。
【請求項８】
前記特定手段に特定された前記小領域と前記第１空調装置との距離に応じた量の空調空気を吐出する吐出手段を備える請求項７に記載の空調システム。
【請求項９】
前記特定手段は、前記空調空気の吐出量が不変の第２空調装置が、前記空間に配置されている場合に、前記第２空調装置の空調領域を除外した領域を、前記第１空調装置の空調領域として、前記小領域を特定する請求項７又は８に記載の空調システム。
【請求項１０】
前記空間のフロアの画像に写る机の位置から、前記作業領域を特定する作業領域特定手段を有する請求項１乃至９のいずれか一項に記載の空調システム。
【請求項１１】
空間に規定された空調領域に対するユーザの作業領域の割合に応じて、前記空調領域へ吐出される空調空気の吐出量、及び前記空調空気を吐出する吐出方向の角度のうちの少なくとも一方を調整する調整工程を含む空調方法。
【請求項１２】
空調対象となる前記空間に分散配置され、前記空調空気を吐出する複数の吐出口に割り当てられた前記空調領域に対するユーザの作業領域の割合に応じて、前記吐出口から吐出される前記空調空気の吐出量を、前記吐出口ごとに算出する工程を含み、
前記調整工程では、前記吐出口それぞれから、算出された吐出量の前記空調空気を吐出する請求項１１に記載の空調方法。
【請求項１３】
空調対象となる前記空間に分散配置され、前記空調空気を吐出する吐出方向の角度を、水平方向から鉛直方向までの間で多段階に可変な空調装置を用いて、前記空間の空調を行うための空調方法であって、
前記空調装置の設置位置からの距離に基づいて、前記空調装置の空調領域を複数の小領域に区分する工程と、
ユーザの作業領域を最も多く含む小領域を特定する工程と、
特定された前記小領域に向かって、前記空調空気を吐出するときの前記吐出方向の角度を算出する工程と、を含み、
前記調整工程では、前記吐出方向の角度を、算出された角度に調整する請求項１１に記載の空調方法。
【国際調査報告】
2012035788.tif 000016
2012035788.tif 000017
2012035788.tif 000018
2012035788.tif 000019